(57)【要約】      （修正有）【課題】加盟店以外の者が運営する複数のウェブサイトに電子クーポン情報を表示することにより、加盟店の利用者数を飛躍的に向上させる電子クーポン流通システムを提供する。【解決手段】ネットワークを通して相互に通信可能な管理装置、電子クーポン設置装置、加盟店装置、電子クーポン設置者装置、電子クーポン利用者装置を含み、上記管理装置は、加盟店装置から送信された加盟店情報及び電子クーポン情報を格納する手段と、電子クーポン設置者装置から送信された設置者情報及び電子クーポン設置情報を格納する手段と、電子クーポン設置装置にアップロードされたウェブサイトを見た電子クーポン利用者の要求に応じ、加盟店情報、電子クーポン情報、電子クーポン設置者情報、及び、電子クーポン設置情報を結合した情報が記録された電子クーポンを生成する手段と、上記電子クーポンを電子クーポン利用者装置に送信する手段とを有する電子クーポン流通システム。【選択図】図１
2008107898.tif 000002
【特許請求の範囲】
【請求項１】
ネットワークを利用した電子クーポン流通システムであって、
ネットワークを通して相互に通信可能な管理装置、電子クーポン設置装置、加盟店装置、電子クーポン設置者装置、及び、電子クーポン利用者装置を含み、
該管理装置は、
加盟店装置から送信された加盟店情報及び電子クーポン情報を格納する手段と、
電子クーポン設置者装置から送信された設置者情報及び電子クーポン設置情報を格納する手段と、
電子クーポン設置装置にアップロードされたウェブサイトを見た電子クーポン利用者の要求に応じ、加盟店情報、電子クーポン情報、電子クーポン設置者情報、及び、電子クーポン設置情報を結びつけた情報が記録された電子クーポンを生成する手段と、
該電子クーポンを電子クーポン利用者装置に送信する手段とを有することを特徴とする電子クーポン流通システム。
【請求項２】
前記電子クーポンに記録された情報は、管理装置が有する電子クーポン承認部へアクセスする情報と電子クーポン設置情報とが記録されたものであることを特徴とする請求項１記載の電子クーポン流通システム。
【請求項３】
前記電子クーポンは、加盟店装置によって読み取られた後、加盟店装置から管理装置に送信され、管理装置に格納された電子クーポン設置情報と照合され、
管理装置は、該照合により得られた電子クーポン発行情報を格納する手段を有することを特徴とする請求項１又は２記載の電子クーポン流通システム。
【請求項４】
前記管理装置は、電子クーポン発行情報と電子クーポン利用情報とから加盟店固有の電子クーポン情報を抽出し、抽出した電子クーポン情報により加盟店への課金金額を決定することを特徴とする請求項１〜３のいずれかに記載の電子クーポン流通システム。
【請求項５】
前記管理装置は、電子クーポン発行情報と電子クーポン利用情報とから電子クーポン設置者固有の電子クーポン情報を抽出し、抽出した電子クーポン情報により電子クーポン設置者へ支払われる金額を決定することを特徴とする請求項１〜４のいずれかに記載の電子クーポン流通システム。
【発明の詳細な説明】
【技術分野】
【０００１】
本発明は、電子クーポン流通システムに関する。より詳しくは、アフィリエイトシステムを利用し、店舗以外の者が運営する複数のウェブサイトに電子クーポン情報を表示することによって、店舗の利用者数を飛躍的に向上させる電子クーポン流通システムに関する。
【背景技術】
【０００２】
従来から店舗の販売促進方法として、商品又はサービスの割引等を行うためのクーポン（特典）を発行することが広く行われている。例えば、商品やサービスを購入する者（利用者）は、新聞、雑誌、広告等に印刷して配布されたクーポンを店舗に持参することにより利用することができる。また、インターネット上の店舗のウェブサイトに表示されたクーポンを利用者が紙に印刷して、店舗に持参して利用することも知られている。
【０００３】
また、近年店舗のウェブサイトにアクセスした利用者が、二次元バーコードやＱＲコード等の電子データとしてのクーポン（電子クーポン）を利用者がコンピュータにダウンロードした後に紙に印刷して、その紙を店舗に持参して利用することも知られている。
しかしながら、このような電子クーポンの流通システムは、利用者が電子クーポンを利用するために紙に印刷する必要があり、手間がかかることから、店舗の販売促進を図るには充分とはいえなかった。
【０００４】
これに対しては、利用者の要求に応じて、利用者の携帯電話等の移動用携帯端末に店舗に割引率などの内容やそれらの内容を特定するための電子クーポンが表示されるＵＲＬを送信し、利用者が移動用携帯端末を店舗に持参し、そのＵＲＬにアクセスすることにより、電子クーポンが表示された画面を店舗に提示して、電子クーポンを利用することが行われている（例えば、特許文献１参照。）。また、加盟店が顧客に発行する電子クーポンを一元的に管理し、顧客が加盟店において電子クーポンを利用して購入したサービス・商品の合計金額に応じた電子マネーの発行を可能とする電子クーポン管理システムも開示されている（例えば、特許文献２参照。）
【０００５】
しかしながら、このような電子クーポン・システム等は、従来からの店舗が新聞・雑誌等の紙に印刷して発行するクーポンによる販売促進効果と比べて、集客効果を飛躍的に向上させるためには、未だ改善の余地があった。
【０００６】
一方、近年オンラインショッピングにおける新たな広告配信手法として、アフィリエイトシステムが注目されている。このアフィリエイトシステムは、アフィリエイターと呼ばれる個人又は法人が、アマゾンドットコム（登録商標）等のアフィリエイトサービスプロバイダと呼ばれる仲介業者を介して広告主（店舗）と提携し、店舗の商品又はサービスに関する記事やバナーを自ら運営するブログ等のウェブサイト（アフィリエイトサイト）に掲載する。このようなアフィリエイトサイトでは、アフィリエイター自らが実際に商品又はサービスを使ってみた感想、利点、欠点、他の商品又はサービスとの比較等、利用者が知りたい情報が魅力的な記事として掲載されており、その記事中に店舗のウェブサイトへアクセスできるリンクが貼られている。一般の利用者は、気になる商品又はサービスについてアフィリエイトサイトの記事を商品の知識を吸収したり、商品の購買を検討したりすることに利用している。このように利用者の購買意欲を高め、アフィリエイトサイト内の記事やバナーから利用者を店舗のウェブサイトへと誘導し、その利用者の商品又はサービスの購入や資料請求等の要求に応じて、アフィリエイトサービスプロバイダからアフィリエイターに報酬が支払われる。
【０００７】
しかしながら、従来のアフィリエイトシステムは、インターネット上で購入できるオンラインショッピングにおける商品又はサービスの場合は有効であるものの、飲食店、ヘアサロン、ネイルサロン、クリーニング店等の店舗（リアル店舗）のように、顧客が店舗まで行かなければ購入することができない商品やサービスについては、アフィリエイトサイトに掲載されている店舗の記事を読んでも、その店舗の商品又はサービスをその場で購入することができる性質のものではないため、アフィリエイトサイトがリアル店舗への集客に結びつくとはいえず、リアル店舗の販売促進効果として有効であるとはいえなかった。
【特許文献１】特許第３５２７２１１号明細書（第１−２頁）
【特許文献２】特開２００６−１３３９３１号公報（第１−２頁）
【発明の開示】
【発明が解決しようとする課題】
【０００８】
本発明は、上記現状に鑑みてなされたものであり、加盟店以外の者が運営する複数のウェブサイトに電子クーポン情報を表示することによって、アフィリエイトシステムを利用し、加盟店の利用者数を飛躍的に向上させる電子クーポン流通システムを提供することを目的とするものである。
【課題を解決するための手段】
【０００９】
本発明者等は、電子クーポンの流通経路に着目したところ、電子クーポンの設置及び電子クーポンの利用に関してアフィリエイトシステムを利用することにより電子クーポンの利用者を飛躍的に向上させることができることを見出した。すなわち、オンラインショップへの集客のみならず、従来アフィリエイトシステムの導入が難しいとされていた、飲食店やヘアサロンのように店舗内で直接商品・サービスを販売する業界において、電子クーポン流通システムを管理する管理装置へのリンクを貼った電子クーポンに関する情報をブログ（ウェブログ）等のアフィリエイトサイトに店舗の商品に関する感想等のアフィリエイターの記事とともに表示することで、店舗内でしか商品又はサービスの提供を受けることができない業界（リアル店舗）において、電子クーポンの利用を促進することができ、また、その電子クーポンを利用して商品又はサービスを購入することによる売上げに応じてアフィリエイターに報酬を支払う電子クーポン流通システムを構築することにより、ブログ等がリアル店舗の新たな広告媒体となるため、リアル店舗への集客において、非常に有用であることを見いだし、上記課題をみごとに解決することができることに想到した。
【００１０】
すなわち本発明は、ネットワークを利用した電子クーポン流通システムであって、ネットワークを通して相互に通信可能な管理装置、電子クーポン設置装置、加盟店装置、電子クーポン設置者装置、及び、電子クーポン利用者装置を含み、該管理装置は、加盟店装置から送信された加盟店情報及び電子クーポン情報を格納する手段と、電子クーポン設置者装置から送信された設置者情報及び電子クーポン設置情報を格納する手段と、電子クーポン設置装置にアップロードされたウェブサイトを見た電子クーポン利用者の要求に応じ、加盟店情報、電子クーポン情報、電子クーポン設置者情報、及び、電子クーポン設置情報を結びつけた情報が記録された電子クーポンを生成する手段と、該電子クーポンを電子クーポン利用者装置に送信する手段とを有する電子クーポン流通システムである。
【００１１】
本発明の電子クーポン流通システムは、ネットワークを利用したものであり、ネットワークを通して相互に通信可能な管理装置、電子クーポン設置装置、加盟店装置、電子クーポン設置者装置、及び、利用者装置を含むものであるが、更に他の装置を含むものであってもよい。他の装置としては、例えば、販売代理店装置等が挙げられる。加盟店装置、電子クーポン設置者装置、利用者装置、販売代理店等は、複数であることが好ましい。また、各装置は、少なくともＣＰＵ、記憶装置、入出力装置、及び、通信装置を備えるものであることが好ましい。
【００１２】
上記管理装置は、本発明の電子クーポン流通システムを管理する企業内に設置されるものであり、一又は二以上であってもよい。
上記電子クーポン設置者装置は、ブロガー等のアフィリエイターが有する装置であり、電子クーポン設置装置は、アフィリエイターのブログ等のアフィリエイトサイト（電子クーポン設置者が運営するウェブサイト）のデータを格納するものである。
【００１３】
上記電子クーポン設置者が運営するウェブサイトとしては、インターネット上において閲覧可能な１又は２以上のページから構成されるコンテンツであれば、特に限定されず、ウェブページ、サイト、掲示板、ホームページ、ブログ（ウェブログ、Ｗｅｂｌｏｇ）等が挙げられるが、ブログであることが好ましい。
【００１４】
上記ブログは、初心者でも使用できる簡単なユーザインターフェースを備えた簡易型掲示板システムであり、掲示板のように個人の感想等を記述したテキスト形式のみならず、画像・映像・音声等の様々な形式で情報を公開することができることから、近年、一般に広く用いられている。ブログから発信される情報は、インターネットを利用する者（一般利用者）が、各ブログを提供するサイト内での全文検索、ＰｉｎｇサーバやアンテナサーバによるＲＳＳ（ＲＤＦ  Ｓｉｔｅ  Ｓｕｍｍａｒｙ）内の要素に対する検索、Ｇｏｏｇｌｅに代表されるコンテンツ収集・インデックス型検索エンジンによる検索により、取得することができる。ブログ内に電子クーポンに関する情報が表示されると、その情報は極めて多くの一般利用者が利用することができ、リアル店舗への飛躍的な集客が可能となる。
【００１５】
上記電子クーポンに記録された情報は、管理装置が有する電子クーポン承認部へアクセスする情報と電子クーポン設置情報とが記録されたものであることが好ましい。このように、利用者装置へ送信される電子クーポンに加盟店情報、電子クーポン情報、電子クーポン設置者情報、及び、電子クーポン設置情報の全てを記載せず、これらを結びつける最低限の紐付け情報を組み込むことにより、電子クーポン流通システムの構築が可能となる。
【００１６】
上記電子クーポンは、加盟店装置によって読み取られた後、加盟店装置から管理装置に送信され、管理装置に格納された電子クーポン設置情報と照合され、管理装置は、上記照合により得られた電子クーポン発行情報を格納する手段を有することが好ましい。
【００１７】
上記管理装置は、電子クーポン発行情報と電子クーポン利用情報とから加盟店固有の電子クーポン情報を抽出し、抽出した電子クーポン情報により加盟店への課金金額を決定することが好ましい。これにより、電子クーポンを発行するのみで加盟店へ課金することも、電子クーポンを利用して初めて加盟店へ課金することもできる。
【００１８】
上記管理装置は、電子クーポン発行情報と電子クーポン利用情報とから電子クーポン設置者固有の電子クーポン情報を抽出し、抽出した電子クーポン情報により電子クーポン設置者へ支払われる金額を決定することが好ましい。
【発明の効果】
【００１９】
本発明の電子クーポン流通システムは、上述の構成よりなり、インターネットを介して、利用客をリアル店舗へ誘導することにより、リアル店舗の利用客数を飛躍的に向上させることができる。
【発明を実施するための最良の形態】
【００２０】
以下に実施例を掲げて本発明を更に詳細に説明するが、本発明はこれらの実施例のみに限定されるものではない。
【００２１】
実施例１
図１は、本発明の電子クーポン流通システムの一つの実施例の全体構成を示す図である。電子クーポン流通システム１０は、ネットワーク１１を介して、管理サーバ１７（管理装置）、電子クーポン設置サーバ（電子クーポン設置装置）１６Ａ〜１６Ｎ（Ａ〜Ｎは、特に限定されず、複数であればよい。以下同様とする。）、販売代理店コンピュータ（販売代理店装置）１２Ａ〜１２Ｎ、加盟店コンピュータ（加盟店装置）１３Ａ〜１３Ｎ、電子クーポン設置者コンピュータ（電子クーポン設置者装置）１４Ａ〜１４Ｎ、及び、電子クーポン利用者コンピュータ（利用者装置）１５Ａ〜１５Ｎを相互に接続することにより構成されている。
【００２２】
上記加盟店コンピュータ１３Ａ〜１３Ｎは、利用者が電子クーポンを利用する対象である商品又はサービスを提供する店舗（加盟店）に設置されるコンピュータであり、ＣＰＵ１３０、記憶装置１３１、入出力装置１３２、通信装置１３２、及び、電子クーポン読取装置１３３を備え、管理サーバ１７に加盟店情報を登録するための情報を送信する。
上記加盟店は、オンラインショップでも、リアル店舗でもよいが、リアル店舗であるとが好ましい。なお、オンラインショップは、ネットワークを介して商品又はサービスを提供することができる店舗を意味する。
上記リアル店舗としては、例えば、飲食店、ヘアサロン、ネイルサロン、クリーニング店、エステ等の店舗内で商品又はサービスを提供する店舗が挙げられる。
【００２３】
上記販売代理店コンピュータ１２Ａ〜１２Ｎは、上記販売代理店コンピュータ１２Ａ〜１２Ｎは、店舗にサービスを紹介し、電子クーポン流通システムに参加させ、システム利用を促進・サポートする個人又は法人に設置されるコンピュータであり、ＣＰＵ１２０、記憶装置、１２１、入出力装置１２２、及び、通信装置１２３を備え、管理サーバ１７に販売代理店情報を登録するために情報を送信する。
上記販売代理店は、加盟店を本発明の電子クーポン流通システムへ紹介し、加盟店が半発明のシステムに登録した後においても、加盟店に対して種々のサポートを行う個人又は法人である。
上記管理サーバ１７は、電子クーポン流通システムを構築する企業により管理されることが好ましい。
【００２４】
上記電子クーポン設置者コンピュータ１４Ａ〜１４Ｎは、電子クーポンを電子クーポン設置サーバ１６Ａ〜１６Ｎに設置する者が有するコンピュータであり、ＣＰＵ１４０、記憶装置１４１、入出力装置１４２、及び、通信装置１４３を備える。
上記電子クーポン設置者は、電子クーポンを利用する対象となる商品又はサービスを提供する加盟店以外のウェブサイトを運営し、ウェブサイトの内容を追加・変更・修正ができる者であり、特に限定されない。
上記電子クーポン設置者が運営するウェブサイトは、電子クーポン設置サーバ１６Ａ〜１６Ｎにアップロードされる。電子クーポン設置サーバ１６Ａ〜１６Ｎは、ＣＰＵ１６０、記憶装置１６１、入出力装置１６２、及び、通信装置１６３を備える。
【００２５】
上記電子クーポン利用者コンピュータ（利用者装置）１５Ａ〜１５Ｎは、電子クーポンを利用して、商品の購入又はサービスの提供を受ける者が有するコンピュータであり、ＣＰＵ１５０、記憶装置１５１、入出力装置１５２、及び、通信装置１５３を備える。この電子クーポン利用者コンピュータは、特に限定されないが、携帯用移動端末であることが好ましい。これによれば、電子クーポンを紙に印刷することなく、利用することができる。
【００２６】
本発明の電子クーポン流通システム１０においては、サーバ１７に、随時、登録した販売代理店情報、加盟店情報、電子クーポン設置者情報、電子クーポン情報、クーポン設置情報が格納される。これにより、加盟店以外のウェブサイトである電子クーポン設置者が運営するウェブサイトを見て加盟店が提供する商品又はサービスに関する割引情報等を取得した者は、電子クーポン利用者コンピュータ１５Ａ〜１５Ｎのいずれかを用いて、管理サーバ１７にアクセスし、管理サーバ１７から送信されるメールに添付された加盟店情報、電子クーポン情報、電子クーポン設置者情報、及び、電子クーポン設置情報を結びつけた情報が記録された電子クーポンを取得することにより、電子クーポン流通システムを利用することができる。
【００２７】
また、電子クーポン設置者が運営するブログ等のウェブサイトを見て、管理サーバ１７にアクセスし、電子クーポン利用者コンピュータ１５Ａ〜１５Ｎに送信された電子クーポンを利用して加盟店の商品又はサービスが購入されると、該加盟店から一定の金額が入金されることにより、電子クーポン設置者は、電子クーポン流通システムを利用することができる。
【００２８】
次に、図２及び図３を用いて、本発明の電子クーポン流通システムの管理装置が有する機能を実現する手段を説明する。図２は、本発明の実施例１における電子クーポン流通システムの管理装置が有する機能を実現する手段を示すブロック図である。図３は、本発明の実施例１における管理装置の各データベースの関係を示す図である。
管理サーバ（管理装置）１７は、送受信・制御部２０、販売代理店情報照合・変更部２１、加盟店情報照合・変更部２２、電子クーポン設置者情報照合・変更部２３、電子クーポン情報照合・変更部２４、電子クーポン設置情報照合・変更部２５、クーポン発行画面表示部２６、クーポン発行部２７、クーポン認証部２８、課金計算部２９、販売代理店情報データベース（ＤＢ）４０、加盟店情報ＤＢ４１、電子クーポン設置者情報ＤＢ４２、電子クーポン情報ＤＢ４３、電子クーポン設置情報ＤＢ４４、電子クーポン利用者情報ＤＢ４５、電子クーポン表示情報ＤＢ４６、電子クーポン発行情報ＤＢ４７、及び、電子クーポン利用情報４８を備える。
【００２９】
上記送受信・制御部２０は、管理サーバ１７が有するＣＰＵ１７０（図１）により実現されるものであり、ネットワーク１１を介した管理サーバ１７の外部との通信を実行及び制御し、管理サーバ１７内部の機能実現手段及びデータベース（ＤＢ）相互の連携を制御する。
【００３０】
上記販売代理店情報照合・変更部２１は、管理サーバ１７が有するＣＰＵ１７０（図１）により実現されるものであり、販売代理店コンピュータ１２から送信された後に販売代理店情報ＤＢ４０に格納された販売代理店情報における販売代理店認証情報と、販売代理店コンピュータ１２から送信された販売代理店認証情報とを照合し、また、販売代理店からの要求に応じて販売代理店情報ＤＢに格納された販売店代理情報を参照又は変更する。
【００３１】
上記加盟店情報照合・変更部２２は、管理サーバ１７が有するＣＰＵ１７０（図１）により実現されるものであり、加盟店コンピュータ１３から送信された後に加盟店情報ＤＢ４１に格納された加盟店情報における加盟店認証情報と、加盟店コンピュータ１３から送信された加盟店認証情報とを照合し、また、加盟店からの要求に応じて、加盟店情報ＤＢに格納された加盟店情報を参照又は変更する。
【００３２】
上記電子クーポン設置者情報照合・変更部２３は、管理サーバ１７が有するＣＰＵ１７０（図１）により実現されるものであり、電子クーポン設置者コンピュータ１４から送信され、電子クーポン設置者情報ＤＢ４２に格納された電子クーポン情報における電子クーポン設置者認証情報と、電子クーポン設置者コンピュータ１４から送信された電子クーポン設置者認証情報とを照合し、また、電子クーポン設置者からの要求に応じて、電子クーポン設置者情報ＤＢ４２に格納された電子クーポン設置者情報を参照又は変更する。
【００３３】
上記電子クーポン情報照合・変更部２４は、管理サーバ１７が有するＣＰＵ１７０（図１）により実現されるものであり、加盟店の要求に応じて、加盟店コンピュータ１３から送信され、加盟店情報ＤＢ４１に格納された加盟店情報における加盟店認証情報と加盟店コンピュータ１３から送信された加盟店認証情報とを照合し、また、加盟店からの要求に応じて、電子クーポン情報ＤＢ４２に格納された電子クーポン情報を参照又は変更する。
【００３４】
上記電子クーポン設置情報照合・変更部２５は、管理サーバ１７が有するＣＰＵ１７０（図１）により実現されるものであり、電子クーポン設置者コンピュータ１４から送信され、電子クーポン設置者情報ＤＢ４２に格納された電子クーポン設置者情報における電子クーポン設置者認証情報と、電子クーポン設置者コンピュータ１４から送信された電子クーポン設置者認証情報とを照合し、また、電子クーポン設置者からの要求に応じて、電子クーポン設置情報ＤＢ４４に格納された電子クーポン設置情報を参照又は変更する。  
【００３５】
上記電子クーポン発行画面表示部２６は、管理サーバ１７が有するＣＰＵ１７０（図１）により実現されるものであり、電子クーポン利用者コンピュータ１５へ電子クーポン発行先情報の入力フォームを送信し、電子クーポン利用者コンピュータ１５のアクセス情報を電子クーポン表示情報ＤＢ４６へ格納する。  
【００３６】
上記電子クーポン発行部２７は、管理サーバ１７が有するＣＰＵ１７０（図１）により実現されるものであり、電子クーポン利用者コンピュータ１５から送信された電子クーポン発行先情報を電子クーポン利用者情報ＤＢ４５へ格納し、電子クーポン発行先へ電子クーポンを発行し、電子クーポン発行情報を電子クーポン発行情報ＤＢ４７へ格納する。
【００３７】
上記電子クーポン承認部２８は、管理サーバ１７が有するＣＰＵ１７０（図１）により実現されるものであり、利用者による電子クーポンの利用を承認する。これは、図３に示すように、加盟店コンピュータ１３が、所定のＤＢを経由して電子クーポンを読み取って取得した電子クーポン発行ＩＤに紐付けされた情報を順次たどることにより、加盟店が発行した電子クーポンであることを承認する。図３を用いて、電子クーポンの利用を承認する流れを詳細に説明する。加盟店コンピュータ１３の電子クーポン読み取り装置１３３（図１）が利用者コンピュータ１５の表示画面に表示された電子クーポンを読み取ることにより、加盟店コンピュータ１３は、電子クーポン承認部２８へのアクセスＵＲＬ及び電子クーポン発行ＩＤ４８１を取得し、管理サーバ１７へ電子クーポン発行ＩＤ４８１を送信する。このとき、入力した加盟店パスワードも同時に送信する。すると、電子クーポン承認部２８は、受信した電子クーポン発行ＩＤと合致する電子クーポン発行ＩＤ４８２が格納された電子クーポン利用情報ＤＢ４８へアクセスする。次に、電子クーポン承認部２８は、電子クーポン発行ＩＤ４８１と合致する電子クーポン発行ＩＤ４８１が格納された電子クーポン発行情報ＤＢ４７にアクセスし、電子クーポン設置ＩＤ４７２を取得する。次に、電子クーポン承認部２８は、電子クーポン設置ＩＤ４７２と合致する電子クーポン設置ＩＤ４４１が格納された電子クーポン設置情報ＤＢ４４にアクセスし、電子クーポンＩＤ４４２を取得する。次に、電子クーポン承認部２８は、電子クーポンＩＤ４４２と合致する電子クーポンＩＤ４３１を格納する電子クーポン情報ＤＢ４３にアクセスし、加盟店ＩＤ４３２を取得する。次に、電子クーポン承認部２８は、加盟店ＩＤ４３２と合致する加盟店ＩＤ４１２を格納する加盟店情報ＤＢ４１にアクセスし、パスワード４１５を取得する。次に、電子クーポン承認部２８は、パスワード４１５と、加盟店コンピュータ１３から送信されたパスワードを照合する。このパスワードが合致すれば、電子クーポンの利用を承認することも可能であるが、本実施例では更に、電子クーポン承認部２８は、取得した加盟店ＩＤ４１２と合致する電子クーポン情報ＤＢ４３にアクセスした際に、電子クーポン利用期間や利用回数等の電子クーポン制限内容４５を確認し、電子クーポンの利用における承認又は否承認かを判断する。このように、利用者装置へ送信される電子クーポンに各ＤＢを結びつける最低限の紐付け情報を組み込むことにより、電子クーポン流通システムの構築が可能となる。
【００３８】
図３は、本発明の実施例１における管理装置が有する各データベース（販売代理店情報ＤＢ４０、加盟店情報ＤＢ、電子クーポン設置者情報ＤＢ４２、電子クーポン情報ＤＢ４３、電子クーポン設置情報４４、電子クーポン利用者情報ＤＢ４５、電子クーポン表示情報ＤＢ４６、電子クーポン発行情報ＤＢ４７、電子クーポン利用情報ＤＢ４８）に格納されるデータの一例を示す図である。
【００３９】
上記販売代理店情報ＤＢ４０は、販売代理店ごとに、販売代理店ＩＤ４０１、販売代理店名４０２、メールアドレス４０３、パスワード４０４、住所４０５、電話番号４０６、支払先情報４０７等の情報を格納する。販売代理店ＩＤ４０１は、電子クーポン流通システム１０（図１）において、販売代理店を識別するための文字列であり、販売代理店登録時に本発明の電子クーポン流通システムが自動的に付与するものである。販売代理店名４０２、メールアドレス４０３、パスワード４０４、住所４０５、電話番号４０６、支払先情報４０７等は、管理サーバ１７（図１及び２）への登録時に販売代理店が入力する販売代理店情報である。なお、支払先情報４０７は、販売代理店が電子クーポンの利用ごとに加盟店から受け取る報酬の支払先金融機関、金融機関支店名、口座種別、口座番号、名義人等の情報である。
【００４０】
上記加盟店情報ＤＢ４０は、加盟店ごとに、加盟店ＩＤ４１１、加盟店名４１２、販売代理店ＩＤ４１３、メールアドレス４１４、パスワード４１５、住所４１６、電話番号４１７、請求先情報４１８等の情報を格納する。加盟店ＩＤ４１１は、電子クーポン流通システム１０（図１）において、加盟店を識別するための文字列であり、加盟店登録時に本発明の電子クーポン流通システムが自動的に付与するものである。加盟店名４１２、販売代理店ＩＤ４１３、メールアドレス４１４、パスワード４１５、住所４１６、電話番号４１７、請求先情報４１８等は、管理サーバ１７（図１及び２）への登録時に入力するものである。なお、請求先情報は、加盟店が電子クーポン利用ごとに電子クーポン流通システム管理者、販売代理店、電子クーポン設置者に支払う報酬の請求先金融機関、金融機関支店名、口座種別、口座番号、名義人等の情報である。
【００４１】
上記電子クーポン設置者情報ＤＢ４２は、電子クーポン設置者ごとに、電子クーポン設置者ＩＤ４２１、電子クーポン設置者４２２、メールアドレス４２３、パスワード４２４、住所４２５、電話番号４２６、支払い先情報４２７等の情報を格納する。電子クーポン設置者ＩＤ４２１は、電子クーポン流通システム１０（図１）において、電子クーポン設置者を識別するための文字列であり、電子クーポン設置者登録時に本発明の電子クーポン流通システムが自動的に付与するものである。電子クーポン設置者４２２、メールアドレス４２３、パスワード４２４、住所４２５、電話番号４２６、支払い先情報４２７等は、管理サーバ１７（図１及び２）への登録時に入力するものである。なお、支払先情報は、電子クーポン設置者が電子クーポンの利用ごとに加盟店から受け取る報酬の支払先金融機関、金融機関支店名、口座種別、口座番号、名義人等の情報である。
【００４２】
上記電子クーポン情報ＤＢ４３は、電子クーポンの種類ごとに、電子クーポンＩＤ４３１、加盟店ＩＤ４３２、電子クーポン内容４３３、電子クーポン課金方式４３４、電子クーポン制限内容４３５、電子クーポン単価４３６等の情報を格納する。電子クーポン設置者ＩＤ４２１は、電子クーポン流通システム１０（図１）において、電子クーポン設置者を識別するための文字列であり、電子クーポン情報登録時に本発明の電子クーポン流通システムが自動的に付与するものである。電子クーポン内容４３３は、例えば、「商品購入金額から３０％割引」等の、電子クーポンを利用して、店舗で商品の購入又はサービスの提供を受ける際の特典内容の説明である。電子クーポン課金方式４３４は、電子クーポンが利用された際に課金される方式（利用課金方式）又は、電子クーポンが発行された際に課金される（発行課金方式）の２種類から加盟店への課金タイミングを決定する方式の情報である。このように加盟店が課金方式を選択できることにより、電子クーポンが利用されたときのみならず、発行されただけでも電子クーポン設置者等は報酬を得ることができるため、電子クーポン設置者は、自己が運営するブログ等のウェブサイトで加盟店の商品又はサービスの宣伝広告を行い、電子クーポン発行を促し、加盟店への誘客・集客を行う意欲を大きく向上させることが可能となる。電子クーポンの発行のみでは、加盟店の利益にはならないものの、電子クーポン発行数を向上させることにより、電子クーポン利用者数の向上を図ることが可能である。電子クーポン制限内容４３５は、利用者が電子クーポンによる特典を受けられる期限である。電子クーポン単価４３６は、電子クーポン１発行あたりの加盟店への課金金額である。加盟店ＩＤ４３２、電子クーポン内容４３３、電子クーポン課金方式４３４、電子クーポン制限内容４３５、電子クーポン単価４３６等は、加盟店が管理サーバ１７への登録時に入力するものである。
【００４３】
上記電子クーポン設置情報ＤＢ４４は、電子クーポン設置ＩＤ４４１、電子クーポンＩＤ４４２、電子クーポン設置者ＩＤ、電子クーポン設置開始日４４４、電子クーポン設置終了日４４５、電子クーポン設置可否４４６等の情報を格納する。電子クーポン設置ＩＤ４４１は、電子クーポンの設置を識別するための文字列であり、電子クーポン設置処理承認時に本発明の電子クーポン流通システムが自動的に付与するものである。電子クーポンＩＤ４４２は、上述した電子クーポン情報ＤＢ４３に格納された電子クーポンＩＤ４３１と同じ文字列である。電子クーポン設置開始日４４４は、電子クーポン設置者が加盟店から承認された日であり、電子クーポン設置終了日４４５は、電子クーポン設置者が加盟店から承認を取り消しされた日、又は、電子クーポン設置者が加盟店との契約を終了した日である。電子クーポン設置可否４６６は、電子クーポン設置者による設置承認の依頼に対して、加盟店が承認又は否認したかを示す情報である。
【００４４】
上記電子クーポン利用者情報ＤＢ４５は、利用者ＩＤ４５１、メールアドレス４５２、パスワード４５３、ハンドルネーム４５４等の情報を格納する。電子クーポン設置ＩＤは、利用者を識別するための文字列であり、電子クーポン発行時に本発明の電子クーポン流通システムが自動的に付与するものである。
【００４５】
上記電子クーポン表示情報ＤＢ４６は、電子クーポン表示ＩＤ４６１、電子クーポン設置ＩＤ４６２、利用者ＩＤ４６３、表示日時４６４、表示元ＵＲＬ４６５、表示元ＩＰアドレス４６６等の情報が格納される。本発明の電子クーポン流通システムにおける電子クーポンの発行は、利用者が電子クーポン設置者により運営されるウェブサイト上で管理サーバ１７へのリンクが貼った電子クーポンに関する情報部分をクリックし、利用者コンピュータ１３の表示画面に表示される電子クーポン発行画面でメールアドレスを入力・送信し、利用者コンピュータが電子クーポンを受信することにより行われる。電子クーポンの発行には、最初にウェブサイトの電子クーポンに関する情報部分がクリックされることが必要であるが、クリックされ、表示画面に電子クーポン発行画面が表示されたとしてもメールアドレスが入力されず、電子クーポンの発行に至らない場合もある。そこで、本電子クーポン流通システムにおいては、クリックに関する情報を電子クーポン表示情報ＤＢに格納し、電子クーポン設置者、加盟店及びシステム管理企業がいつでもその情報を参照できるようにして、電子クーポン発行を促すことに利用することができる。電子クーポン表示ＩＤ４６１は、クリックごとにクリックに関する情報を識別するための文字列であり、電子クーポン設置者登録時に本発明の電子クーポン流通システムが自動的に付与するものである。電子クーポン設置ＩＤ４６２は、上述した電子クーポン設置情報ＤＢ４４に格納された電子クーポン設置ＩＤ４４１と同じ文字列である。表示日時４６４は、利用者コンピュータ１３に電子クーポン発行画面が表示された日時である。表示元ＵＲＬ４６５は、電子クーポン発行画面が表示された利用者コンピュータ１３のＵＲＬである。表示元ＩＰアドレス４６６は、電子クーポン発行画面が表示された利用者コンピュータ１３のＩＰアドレスである。
【００４６】
上記電子クーポン発行情報ＤＢ４７は、電子クーポン発行ＩＤ４７１、電子クーポン設置ＩＤ４７２、利用者ＩＤ、発行日時４７４、発行元ＵＲＬ、発行元ＩＰアドレス４７６等の情報を格納する。電子クーポン発行ＩＤ４７１は、電子クーポンを発行ごとに識別するための文字列であり、利用者が利用者コンピュータ１３に電子クーポンを受信した（電子クーポンを発行した）際に、本発明の電子クーポン流通システムが自動的に付与するものである。発行日時４７４は、利用者コンピュータ１３が電子クーポンを受信した日時である。発行元ＵＲＬ及び発行元ＩＰアドレスは、それぞれ電子クーポンを受信した利用者コンピュータのＵＲＬ及び発行元ＩＰアドレスである。
【００４７】
上記電子クーポン利用情報ＤＢ４８は、電子クーポン利用ＩＤ４８１、電子クーポン設置ＩＤ４８２、利用者ＩＤ４８３、利用日時４８４、承認元ＵＲＬ４８５、承認元ＩＰアドレス４８６等が格納される。電子クーポン利用ＩＤ４８１は、電子クーポンを利用ごとに識別するための文字列であり、加盟店による電子クーポン承認処理時に本発明の電子クーポン流通システムが自動的に付与するものである。利用日時４８４は、電子クーポン承認処理日時である。承認元ＵＲＬ４８５及び承認元ＩＰアドレス４８６は、電子クーポン承認処理を管理サーバ１７へ依頼する加盟店コンピュータのＵＲＬ及びＩＰアドレスである。
【００４８】
以下に、図４〜２９を用いて、本発明の実施例１における電子クーポン流通システムで実現される各処理を説明する。図４〜１５は、本発明の実施例１の電子クーポン流通システムにおける各処理を示すフローチャートである。図１６〜２９は、本発明の実施例１における電子クーポン流通システムで表示される各処理で表示される画面の例である。
【００４９】
まず、商品やサービスを販売する店舗が本発明の電子クーポン流通システムを利用する際に、加盟店登録をする。このとき、図５に示すように、ステップ６２Ａにおいて、店舗が加盟店コンピュータ１３Ａ〜１３Ｎ（図１）のいずれかから管理サーバ１７に加盟店登録要求を送信することにより開始する。ステップ６２Ｂにおいて、管理サーバ（図１）から加盟店コンピュータ１３Ａに加盟店登録フォームが送信される。加盟店コンピュータ１３Ａに搭載されたブラウザを用いると、図１７に例示するような加盟店登録フォームが表示される。ステップ６２Ｃにおいて、送信ボタン８１（図１７）を押すことにより、加盟店登録フォームに入力した加盟店情報を管理サーバ１７に送信する。ステップ６２Ｄにおいて、管理サーバ１７は、加盟店情報を受信する。ステップ６２Ｅにおいて、管理サーバは、加盟店情報を加盟店情報ＤＢ４１（図２）に格納する。
【００５０】
上記販売代理店は、店舗にサービスを紹介し、電子クーポン流通システムに参加させ、システム利用を促進・サポートする個人又は法人である。このような販売代理店も、本発明の電子クーポン流通システムを利用することができる。販売代理店は、販売代理店の傘下加盟店を増加させ、電子クーポン流通システムを利用して電子クーポンを流通させることにより、加盟店へ課金されたものの一部を収益とすることができる。このように、加盟店のみならず、販売代理店も本発明の電子クーポン流通システムを利用することができるため、加盟店への集客を更に向上させることが可能となる。
【００５１】
上記販売代理店が本発明の電子クーポン流通システムを利用する際に、販売代理店登録をする。このとき、図４に示すように、ステップ６１Ａにおいて、店舗が販売代理店コンピュータ１２Ａ〜１２Ｎ（図１）のいずれかから管理サーバ１７に販売代理店登録要求を送信することにより開始する。ステップ６１Ｂにおいて、管理サーバ（図１）から販売代理店コンピュータ１２Ａに販売代理店登録フォームが送信される。販売代理店コンピュータ１２Ａに搭載されたブラウザを用いると、図１６に例示するような販売代理店登録フォームが表示される。ステップ６１Ｃにおいて、送信ボタン８０（図１６）を押すことにより、販売代理店登録フォームに入力した販売代理店情報を管理サーバ１７に送信する。ステップ６１Ｄにおいて、管理サーバ１７は、販売代理店情報を受信する。ステップ６２Ｅにおいて、管理サーバは、販売代理店情報を販売代理店情報ＤＢ４０（図２）に格納する。
【００５２】
次に、ブロガー（ブログを作成する者又は運営する者）等のウェブサイト運営者が、加盟店の電子クーポン情報を自己のウェブサイトに設置しようとするとき、ウェブサイト運営者は、電子クーポン設置者としての登録をする。このとき、図６に示すように、ステップ６３Ａにおいて、電子クーポン設置者（ウェブサイト運営者）が、電子クーポン設置者コンピュータ１４Ａ〜１４Ｎ（図１）のいずれかから管理サーバ１７に電子クーポン設置者登録要求を送信することにより開始する。ステップ６３Ｂにおいて、管理サーバ（図１）から電子クーポン設置者コンピュータ１４Ａに電子クーポン設置者登録フォームが送信される。電子クーポン設置者コンピュータ１４Ａに搭載されたブラウザを用いると、図１８に例示するような電子クーポン設置者登録フォームが表示される。ステップ６３Ｃにおいて、送信ボタン８２（図１８）を押すことにより、電子クーポン設置者登録フォームに入力した電子クーポン設置者情報を管理サーバ１７に送信する。ステップ６３Ｄにおいて、管理サーバ１７は、電子クーポン設置者情報を受信する。ステップ６３Ｅにおいて、管理サーバ１７は、電子クーポン設置者情報を電子クーポン設置者情報ＤＢ４２（図２）に格納する。
【００５３】
上記加盟店は、加盟店登録の後、自己の店舗で利用される電子クーポン情報を登録する。このとき、図７に示すように、ステップ６４Ａにおいて、加盟店が加盟店コンピュータ１３Ａから管理サーバ１７にアクセスする。ステップ６４Ｂにおいて、管理サーバ１７（図１）が、加盟店コンピュータ１３Ａに加盟店認証情報を要求する。加盟店コンピュータ１３Ａに搭載されたブラウザを用いると、図１９に例示するような加盟店認証画面が表示される。ステップ６４Ｃにおいて、送信ボタン８３（図１９）を押すことにより、加盟店認証画面のフォームに入力した加盟店ＩＤとパスワード（加盟店認証情報）を管理サーバ１７に送信する。ステップ６４Ｄにおいて、管理サーバ１７が加盟店認証情報を受信し、加盟店情報ＤＢ４１（図２及び３）に格納された加盟店ＩＤ及びパスワードと照合する。加盟店照合の結果、認証が失敗した場合は、処理はステップ６４Ｂに戻り、加盟店コンピュータ１３Ａには、再度、図１９に示すような加盟店認証フォーム画面が表示される。照合の結果、認証が成功した場合は、ステップ６４Ｅにおいて、加盟店コンピュータ１３Ａから、管理サーバ１７に電子クーポン情報登録要求を送信する。ステップ６４Ｆにおいて、管理サーバ１７から加盟店コンピュータ１３Ａに電子クーポン情報登録フォームを送信する。加盟店コンピュータには、図２０に例示されるような電子クーポン情報登録フォームが表示される。ステップ６４Ｇにおいて、加盟店コンピュータ１３Ａから管理サーバ１７に電子クーポン情報登録フォームに入力された電子クーポン情報が送信される。ステップ６４Ｈにおいて、管理サーバ１７は、電子クーポン情報を受信する。ステップ６４Ｉにおいて、管理サーバ１７は、電子クーポン情報を電子クーポン情報ＤＢ４３に格納する。
【００５４】
上記電子クーポン設置者は、電子クーポン設置者登録の後、電子クーポンに関する情報を自己のウェブサイトへ掲載するため、電子クーポン設置承認を受けて、希望する電子クーポンに関する情報を入手する。これについては、図８に示すように、ステップ６５Ａにおいって、電子クーポン設置者コンピュータ１４Ａから管理サーバ１７にアクセスすることから開始する。ステップ６５Ｂにおいて、管理サーバ１７は、電子クーポン設置者コンピュータ１４Ａに電子クーポン設置者設置者承認情報を要求する。加盟店コンピュータ１４Ａには、図２１に例示されるような電子クーポン設置者認証画面が表示される。ステップ６５Ｃにおいて、電子クーポン設置者コンピュータ１４Ａから管理サーバ１７に電子クーポン設置者認証情報を送信する。ステップ６５Ｄにおいて、管理サーバ１７は、電子クーポン設置者認証情報を受信し、電子クーポン設置者情報ＤＢ４２（図２及び３）に格納された電子クーポン設置者及びパスワード（電子クーポン設置者認証情報）と照合する。加盟店照合の結果、認証が失敗した場合は、処理はステップ６５Ｂに戻り、電子クーポン設置者コンピュータ１４Ａには、再度、図２１に示すような電子クーポン設置者認証フォーム画面が表示される。照合の結果、認証が成功した場合は、ステップ６５Ｅにおいて、管理サーバ１７から電子クーポン設置者コンピュータ１４Ａに、登録済みの電子クーポン情報を送信する。電子クーポン設置者コンピュータ１４Ａには、図２２に例示される電子クーポン情報画面が表示される。ステップ６５Ｆにおいて、電子クーポン設置者コンピュータ１４Ａから管理サーバ１７に契約を希望する電子クーポン情報を図２２における承認依頼ボタン８６を押すことにより送信する。ステップ６５Ｇにおいて、管理サーバは、電子クーポン設置者が契約希望する電子クーポン情報を電子クーポン設置情報ＤＢ４４（図２及び３）に格納する。
【００５５】
次に、図９に示すステップ６６Ａにおいて加盟店は、加盟店コンピュータ１３Ａから管理サーバ１７にアクセスする。ステップ６６Ｂにおいて、管理サーバ１７は、図７のステップ６４Ｂ〜６４Ｄと同様の加盟店認証情報による加盟店認証を行う。ステップ６６Ｃにおいて、管理サーバ１７から加盟店コンピュータ１３Ａに電子クーポン設置を希望する電子クーポン情報を送信する。ステップ６６Ｄにおいて、加盟店は、図２３に例示される電子クーポン設置者一覧画面から、設置を承認する電子クーポンについて、承認ボタン８７を押すことにより、加盟店コンピュータ１３Ａから管理サーバ１７に承認情報を送信する。ステップ６６Ｅにおいて、管理サーバ１７は、承認情報を受信する。ステップ６６Ｆにおいて、管理サーバ１７は、承認情報を電子クーポン設置者情報ＤＢ４４に格納する。
【００５６】
契約希望の電子クーポンの設置承認を加盟店から受けた電子クーポン設置者は、自己のウェブサイトに電子クーポン情報を表示するために、電子クーポン設置処理を行う。これについては、図１０に示すステップ６７Ａにおいて、まず電子クーポン設置者コンピュータ１４Ａから管理サーバ１７にアクセスすることから開始する。ステップ６７Ｂにおいて、管理サーバ１７は、図８のステップ６５Ｂ〜６５Ｄと同様の電子クーポン設置者認証を行う。ステップ６７Ｃにおいて、管理サーバ１７から電子クーポン設置者コンピュータ１４Ａに承認済みの電子クーポン設置情報を送信する。送信後、電子クーポン設置者コンピュータ１４Ａには、図２４に例示される承認済み電子クーポン情報一覧画面が表示される。図２４の詳細ボタン８８を押すと、図２５に例示するように、電子クーポン情報が組み込まれた電子クーポン設置内容タグ８９等の電子クーポン情報詳細画面が表示される。ステップ６７Ｄにおいて、電子クーポン設置者は、電子クーポン設置者コンピュータ１４Ａから、電子クーポン設置サーバ１６Ａに電子クーポン設置情報を送信する。
【００５７】
上述した各処理を経て、得られた電子クーポン情報を図２６に例示するように、電子クーポン設置サーバ１６Ａに記憶させ、送信ボタン９０を押すと、図２７に例示するように、インターネット上のブロガー等のウェブサイト（電子クーポン設置者サーバ１６Ａの表示画面）に、電子クーポン情報が表示される。ウェブサイトを見ることにより店舗の電子クーポン情報を知り、該電子クーポン利用しようとする者（利用者）は、図１１に示す電子クーポン発行処理を行うことにより、電子クーポンを入手する。
【００５８】
上記電子クーポン発行処理は、ステップ６８Ａにおいて、利用者が、電子クーポン利用者コンピュータ１５Ａから電子クーポン設置サーバ１６Ａにアクセスすることから開始する。ステップ６８Ｂにおいて、電子クーポン設置サーバ１６Ａは、管理サーバ１７へアクセスする。ステップ６８Ｃにおいて、管理サーバ１７は、電子クーポン利用者コンピュータ１５Ａから電子クーポン設置サーバへのアクセス情報を電子クーポン表示情報ＤＢ４６に格納する。ステップ６８Ｄにおいて、図２８に例示するように、電子クーポン利用者コンピュータ１５Ａから、発行ボタン９２を押して、携帯メールアドレス等の電子クーポン発行先情報を管理サーバ１７へ送信する。ステップ６８Ｅにおいて、管理サーバ１７から電子クーポン発行先へ電子クーポンを発行する。ステップ６８Ｆにおいて、管理サーバ１７は、電子クーポン発行情報を電子クーポン発行情報ＤＢ４７に格納する。
【００５９】
上記電子クーポンを入手した者（利用者）は、加盟店へ電子クーポンを持参することにより、商品又はサービスを購入するときに、電子クーポンを利用して割引等の特典を受けることができる。この利用に際し、図１２に示す電子クーポン認証処理を行うことにより、加盟店は、電子クーポン内容等の電子クーポン情報を確認することができるとともに、加盟店及び本発明の電子クーポン流通システムを管理・運営する企業は、電子クーポン利用状況を一元的に管理することができ、更に加盟店から電子クーポン設置者への入金もスムーズに行うことが可能とる。
【００６０】
上記電子クーポン認証処理は、図１２に示すように、ステップ６９Ａにおいて、加盟店コンピュータ１３Ａが備えた電子クーポン読取装置１３３（図１）により、電子クーポン利用者コンピュータ１５Ａに発行された電子クーポンを読み取ることから開始する。ステップ６９Ｂにおいて、加盟店コンピュータ１３Ａから管理サーバ１７へアクセスする。ステップ６９Ｃにおいて、管理サーバ１７は、図７に示すステップ６４Ｂ〜６４Ｄと同様に加盟店認証情報による加盟店認証を行う。ステップ６９Ｄにおいて、加盟店コンピュータ１３Ａは、管理サーバ１７に読み取った電子クーポン設置情報を送信する。ステップ６９Ｅにおいて、管理サーバ１７は、電子クーポン設置情報を受信し、電子クーポン設置情報ＤＢ４４（図２及び３）に格納された電子クーポン設置ＩＤ及び加盟店パスワード（電子クーポン設置情報）と照合する。照合の結果、認証が失敗した場合は、処理はステップ６５Ｄに戻り、加盟店コンピュータ１３Ａには、再度、図２９に示すような電子クーポン設置認証画面が表示される。照合の結果、認証が成功した場合は、ステップ６９Ｆにおいて、管理サーバ１７は、電子クーポン発行情報を電子クーポン発行情報ＤＢに格納する。
【００６１】
上記加盟店は、電子クーポンが利用された際には、電子クーポン流通システムを管理・運営する企業、販売代理店、及び、電子クーポン設置者に対して、一定の金額を支払う。これは、図１３に示す加盟店課金集計処理により行う。図１３に示すステップ７０Ａにおいて、管理サーバ１７が電子クーポン発行情報ＤＢ４７、電子クーポン利用情報ＤＢ４８を参照し、加盟店ごとの電子クーポン情報ＤＢ４３を抽出することから開始する。ステップ７０Ｂにおいて、抽出した電子クーポンの電子クーポン単価４３６を参照し、課金金額を決定する。
【００６２】
上記電子クーポン設置者は、自己が運営するウェブサイトに掲載した電子クーポンが利用されると、電子クーポンが利用された加盟店から一定の金額を受け取るが、その報酬額（収益金額）の決定は、図１４に示す電子クーポン設置者収益集計処理により行う。図１４に示すステップ７１Ａにおいて、管理サーバ１７は、電子クーポン発行情報ＤＢ４７、電子クーポン利用情報ＤＢ４８を参照し、電子クーポン設置者ごとの電子クーポン情報ＤＢ４３を抽出することから開始する。ステップ７１Ｂにおいて、抽出した電子クーポン単価４３６を参照し、電子クーポン設置者に支払われる報酬額が決定される。
【００６３】
上記販売代理店は、電子クーポンが利用されると、電子クーポンが利用された加盟店から一定の金額を受け取るが、その報酬額（収益金額）の決定は、図１５に示す販売代理店収益集計処理により行う。図１５に示すステップ７２Ａにおいて、管理サーバ１７は、電子クーポン発行情報及び電子クーポン利用情報ＤＢ４８を参照し、販売代理店ごとの電子クーポン情報ＤＢを抽出する。ステップ７２Ｂにおいて、抽出した電子クーポンの電子クーポン単価４３６を参照し、販売代理店に支払われる報酬額が決定される。
【図面の簡単な説明】
【００６４】
【図１】図１は、本発明の実施例１における電子クーポン流通システムの一つの実施例の全体構成を示す図である。
【図２】図２は、本発明の実施例１における電子クーポン流通システムの管理装置が有する機能を実現する手段を示すブロック図である。
【図３】図３は、本発明の実施例１における管理装置の各データベースの関係を示す図である。
【図４】図４は、本発明の実施例１における電子クーポン流通システムで実施される販売代理店登録処理を示すフローチャートである。
【図５】図５は、本発明の実施例１における電子クーポン流通システムで実施される加盟店登録処理を示すフローチャートである。
【図６】図６は、本発明の実施例１における電子クーポン流通システムで実施される電子クーポン設置者登録処理を示すフローチャートである。
【図７】図７は、本発明の実施例１における電子クーポン流通システムで実施される電子クーポン登録処理を示すフローチャートである。
【図８】図８は、本発明の実施例１における電子クーポン流通システムで実施される電子クーポン設置承認処理を示すフローチャートである。
【図９】図９は、本発明の実施例１における電子クーポン流通システムで実施される電子クーポン承認処理を示すフローチャートである。
【図１０】図１０は、本発明の実施例１における電子クーポン流通システムで実施される電子クーポン設置処理を示すフローチャートである。
【図１１】図１１は、本発明の実施例１における電子クーポン流通システムで実施される電子クーポン発行処理を示すフローチャートである。
【図１２】図１２は、本発明の実施例１における電子クーポン流通システムで実施される電子クーポン承認処理を示すフローチャートである。
【図１３】図１３は、本発明の実施例１における電子クーポン流通システムで実施される加盟店課金集計処理を示すフローチャートである。
【図１４】図１４は、本発明の実施例１における電子クーポン流通システムで実施される電子クーポン設置者収益集計処理を示すフローチャートである。
【図１５】図１５は、本発明の実施例１における電子クーポン流通システムで実施される販売代理店収益集計処理を示すフローチャートである。
【図１６】図１６は、本発明の実施例１における電子クーポン流通システムで表示される販売代理店登録画面の一例である。
【図１７】図１７は、本発明の実施例１における電子クーポン流通システムで表示される加盟店登録画面の一例である。
【図１８】図１８は、本発明の実施例１における電子クーポン流通システムで表示される電子クーポン設置者登録画面の一例である。
【図１９】図１９は、本発明の実施例１における電子クーポン流通システムで表示される加盟店認証画面の一例である。
【図２０】図２０は、本発明の実施例１における電子クーポン流通システムで表示される電子クーポン登録画面の一例である。
【図２１】図２１は、本発明の実施例１における電子クーポン流通システムで表示される電子クーポン設置者認証画面の一例である。
【図２２】図２２は、本発明の実施例１における電子クーポン流通システムで表示される電子クーポン情報一覧画面の一例である。
【図２３】図２３は、本発明の実施例１における電子クーポン流通システムで表示される電子クーポン設置者一覧画面の一例である。
【図２４】図２４は、本発明の実施例１における電子クーポン流通システムで表示される承認済み電子クーポン情報一覧画面の一例である。
【図２５】図２５は、本発明の実施例１における電子クーポン流通システムで表示される電子クーポン情報詳細画面の一例である。
【図２６】図２６は、本発明の実施例１における電子クーポン流通システムで表示される電子クーポン設置サーバの更新画面の一例である。
【図２７】図２７は、本発明の実施例１における電子クーポン流通システムで表示される電子クーポン設置サーバの表示画面の一例である。
【図２８】図２８は、本発明の実施例１における電子クーポン流通システムで表示される電子クーポン発行画面の一例である。
【図２９】図２９は、本発明の実施例１における電子クーポン流通システムで表示される電子クーポン認証画面の一例である。
【符号の説明】
【００６５】
１０：電子クーポン流通システム
１１：ネットワーク
１２Ａ〜１２Ｎ：販売代理店コンピュータ
１３Ａ〜１３Ｎ：加盟店コンピュータ
１４Ａ〜１４Ｎ：電子クーポン設置者コンピュータ
１５Ａ〜１５Ｎ：電子クーポン利用者コンピュータ
１６Ａ〜１６Ｎ：電子クーポン設置サーバ
１７：管理サーバ
【図１】
2008107898.tif 000003
【図２】
2008107898.tif 000004
【図３】
2008107898.tif 000005
【図４】
2008107898.tif 000006
【図５】
2008107898.tif 000007
【図６】
2008107898.tif 000008
【図７】
2008107898.tif 000009
【図８】
2008107898.tif 000010
【図９】
2008107898.tif 000011
【図１０】
2008107898.tif 000012
【図１１】
2008107898.tif 000013
【図１２】
2008107898.tif 000014
【図１３】
2008107898.tif 000015
【図１４】
2008107898.tif 000016
【図１５】
2008107898.tif 000017
【図１６】
2008107898.tif 000018
【図１７】
2008107898.tif 000019
【図１８】
2008107898.tif 000020
【図１９】
2008107898.tif 000021
【図２０】
2008107898.tif 000022
【図２１】
2008107898.tif 000023
【図２２】
2008107898.tif 000024
【図２３】
2008107898.tif 000025
【図２４】
2008107898.tif 000026
【図２５】
2008107898.tif 000027
【図２６】
2008107898.tif 000028
【図２７】
2008107898.tif 000029
【図２８】
2008107898.tif 000030
【図２９】
2008107898.tif 000031